(57)【要約】【課題】周囲への良好な配光と、フィンの放熱効率の向上とを両立できるランプを提供する。【解決手段】ランプ１Ａは、光源ユニット３と、光を拡散透過させるカバー部材４と、を備える。光源ユニット３及びカバー部材４により、ランプ軸線と直交する方向において、ランプ外部空間とランプ内部空間５との間が仕切られる。光源ユニット３は、ランプ内部空間５側の面に発光素子が配置された発光面を有する光源基板６と、光源基板６の発光面を覆う光源カバー８と、ランプ外部空間に面する放熱フィン９と、を備える。光源カバー８の少なくとも一部は、透明である。光源カバー８は、光源基板６から発せられた光が入射する入射面と、この入射面から入射した光が出射する出射面とを有し、この入射面及び出射面は、角のない形状を有する。【選択図】図１
2018014257.tif 000002
【特許請求の範囲】
【請求項１】
光源ユニットと、
光を拡散透過させるカバー部材と、
を備え、
前記光源ユニット及び前記カバー部材により、ランプ軸線と直交する方向において、ランプ外部空間とランプ内部空間との間が仕切られ、
前記光源ユニットは、
前記ランプ内部空間側の面に発光素子が配置された発光面を有する光源基板と、
前記光源基板の前記発光面を覆う光源カバーと、
前記ランプ外部空間に面する放熱フィンと、
を備え、
前記光源カバーの少なくとも一部は、透明であり、
前記光源カバーは、前記光源基板から発せられた光が入射する入射面と、前記入射面から入射した光が出射する出射面とを有し、
前記入射面及び前記出射面は、角のない形状を有するランプ。
【請求項２】
前記光源ユニットは、前記光源ユニットの長手方向に沿う第一エッジ及び第二エッジを備え、
前記光源ユニットの前記ランプ外部空間側には、前記第一エッジと前記第二エッジとの間を光が通過可能な光路が形成される請求項１に記載のランプ。
【請求項３】
前記放熱フィンの形状は、ピン形である請求項１または請求項２に記載のランプ。
【請求項４】
前記放熱フィンの形状は、板状であり、
前記光路と、前記放熱フィンの長手方向に沿う仮想直線とが交差する請求項２に記載のランプ。
【請求項５】
前記放熱フィンの形状は、板状であり、
前記光路は、前記放熱フィンの長手方向に沿って延びる請求項２に記載のランプ。
【請求項６】
前記ランプ軸線から前記カバー部材の外面までの最大距離は、前記ランプ軸線から前記放熱フィンの付け根までの距離より大きい請求項１から請求項５のいずれか一項に記載のランプ。
【請求項７】
前記ランプ軸線から前記カバー部材の外面までの最大距離は、前記ランプ軸線から前記放熱フィンの末端までの最大距離と同等か、またはそれより大きい請求項１から請求項５のいずれか一項に記載のランプ。
【請求項８】
前記カバー部材に形成された第一出射面と、
前記カバー部材に形成され、前記光源ユニットを介して前記第一出射面と反対側にある第二出射面と、
を備え、
前記第一出射面から外側へ延びる仮想の第一法線と、前記第一法線と交わり、前記第二出射面から外側へ延びる仮想の第二法線とが存在する請求項１から請求項７のいずれか一項に記載のランプ。
【請求項９】
前記光源ユニットは、第一光放射部と、前記第一光放射部とは異なる方向へ光を放射する第二光放射部とを備える請求項１から請求項８のいずれか一項に記載のランプ。
【請求項１０】
前記カバー部材を前記ランプ軸線の方向の両側から保持する保持手段を備える請求項１から請求項９のいずれか一項に記載のランプ。
【請求項１１】
前記放熱フィンは、第一放熱フィンと、前記第一放熱フィンに比べて前記カバー部材に近い位置にある第二放熱フィンとを含み、
前記ランプ軸線から前記第一放熱フィンの末端までの距離が、前記ランプ軸線から前記第二放熱フィンの末端までの距離より大きい請求項１から請求項１０のいずれか一項に記載のランプ。
【請求項１２】
前記光源ユニットは、前記光源基板の前記発光面の反対側にあるベース部を備え、
前記ベース部は、前記ランプ外部空間に面する斜面を有し、
前記斜面は、前記カバー部材から遠ざかるほど前記ランプ軸線との距離が大きくなるように傾斜する請求項１から請求項１１のいずれか一項に記載のランプ。
【請求項１３】
前記カバー部材は、円柱面に沿う曲面を有し、
前記曲面は、前記ランプ外部空間へ向けて凸となる請求項１から請求項１２のいずれか一項に記載のランプ。
【請求項１４】
前記カバー部材は、第一円柱面に沿う第一曲面部と、第二円柱面に沿う第二曲面部とを有し、
前記第一曲面部及び第二曲面部は、前記ランプ外部空間へ向けて凸となり、
前記第一円柱面の半径は、前記第二円柱面の半径と異なり、
前記第一円柱面の中心位置は、前記第二円柱面の中心位置と異なる請求項１から請求項１２のいずれか一項に記載のランプ。
【請求項１５】
前記ランプ内部空間の端部に配置され、光を拡散透過させる端部カバーを備える請求項１から請求項１４のいずれか一項に記載のランプ。
【請求項１６】
ねじ込み式の口金を備える請求項１から請求項１５のいずれか一項に記載のランプ。
【請求項１７】
前記光源ユニットは、前記ランプ軸線に対して平行または傾斜した方向を長手方向とする形状を有する請求項１から請求項１６のいずれか一項に記載のランプ。
【請求項１８】
複数の前記光源ユニットを備える請求項１から請求項１７のいずれか一項に記載のランプ。
【発明の詳細な説明】
【技術分野】
【０００１】
本発明は、ランプに関する。
【背景技術】
【０００２】
ＬＥＤ（Ｌｉｇｈｔ  Ｅｍｉｔｔｉｎｇ  Ｄｉｏｄｅ）のような発光素子を光源に用いたランプが広く用いられている。下記特許文献１には、発光素子が実装される実装基板を有する平板状の光源ユニットの裏面を内側に向け、ランプ中心軸の周りに、上記光源ユニットを複数配置したランプが開示されている。このランプは、光源ユニットの裏面側に、放熱フィン、及び、空気が流通する空間を設けている。
【先行技術文献】
【特許文献】
【０００３】
【特許文献１】国際公開第２０１３／０６９４４６号
【発明の概要】
【発明が解決しようとする課題】
【０００４】
大光束のランプでは、発光素子の温度が高くなりやすい。発光素子の発熱により発光素子の温度が高くなると、エネルギー消費効率が低下したり、発光素子の寿命が短くなったりする。そのため、発光素子の温度が高くならないように、発光素子の熱を散逸させる放熱性を良好にすることが望まれている。大光束のランプは、例えば、天井のように気温の高い環境に設置されたり、街路灯のように密閉される器具に組み込まれたりするので、発光素子の温度上昇を抑制することが難しい。特許文献１のランプでは、放熱フィンが複数の光源ユニットで囲まれた内側の空間にあるため、当該空間に熱がこもり易く、放熱フィンからの放熱性が良くない。
【０００５】
本発明は、上述のような課題を解決するためになされたもので、周囲への良好な配光と、フィンの放熱効率の向上とを両立できるランプを提供することを目的とする。
【課題を解決するための手段】
【０００６】
本発明に係るランプは、光源ユニットと、光を拡散透過させるカバー部材と、を備え、光源ユニット及びカバー部材により、ランプ軸線と直交する方向において、ランプ外部空間とランプ内部空間との間が仕切られ、光源ユニットは、ランプ内部空間側の面に発光素子が配置された発光面を有する光源基板と、光源基板の発光面を覆う光源カバーと、ランプ外部空間に面する放熱フィンと、を備え、光源カバーの少なくとも一部は、透明であり、光源カバーは、光源基板から発せられた光が入射する入射面と、入射面から入射した光が出射する出射面とを有し、入射面及び出射面は、角のない形状を有するものである。
【発明の効果】
【０００７】
本発明のランプによれば、周囲への良好な配光と、フィンの放熱効率の向上とを両立することが可能となる。
【図面の簡単な説明】
【０００８】
【図１】実施の形態１のランプの斜視図である。
【図２】実施の形態１のランプの斜視図である。
【図３】実施の形態１のランプをランプ軸線の方向（ランプ先端側）から見た図である。
【図４】実施の形態１のランプが備える光源ユニットを光源基板の発光面側から見た図である。
【図５】実施の形態１のランプが備える光源ユニットの分解図である。
【図６】実施の形態１のランプが備える光源ユニットの分解図である。
【図７】実施の形態２のランプの斜視図である。
【図８】実施の形態３のランプの斜視図である。
【図９】実施の形態３のランプをランプ軸線の方向（ランプ先端側）から見た図である。
【図１０】実施の形態３のランプが備える光源ユニットの斜視図である。
【図１１】実施の形態３のランプが備える光源ユニットの変形例の斜視図である。
【図１２】実施の形態４のランプの斜視図である。
【図１３】実施の形態４のランプの斜視図である。
【図１４】実施の形態４のランプの分解斜視図である。
【図１５】実施の形態４のランプの分解斜視図である。
【図１６】実施の形態４のランプの部分的な斜視図である。
【図１７】実施の形態５のランプの部分的な斜視図である。
【図１８】実施の形態６のランプの部分的な斜視図である。
【図１９】実施の形態７のランプの部分的な斜視図である。
【図２０】実施の形態８のランプの部分的な斜視図である。
【図２１】実施の形態８のランプの部分的な斜視図である。
【図２２】実施の形態９のランプの部分的な斜視図である。
【図２３】実施の形態９のランプの部分的な斜視図である。
【図２４】実施の形態１０のランプの斜視図である。
【図２５】実施の形態１０のランプをランプ軸線の方向（ランプ先端側）から見た図である。
【図２６】実施の形態１１のランプの斜視図である。
【図２７】実施の形態１１のランプをランプ軸線の方向（ランプ先端側）から見た図である。
【図２８】実施の形態１２のランプの斜視図である。
【図２９】実施の形態１２のランプをランプ軸線の方向（ランプ先端側）から見た図である。
【図３０】実施の形態１３のランプの斜視図である。
【図３１】実施の形態１３のランプをランプ軸線の方向（ランプ先端側）から見た図である。
【図３２】実施の形態１４のランプの斜視図である。
【図３３】実施の形態１４のランプをランプ軸線の方向（ランプ先端側）から見た図である。
【図３４】実施の形態１５のランプの斜視図である。
【図３５】実施の形態１５のランプの部分的な斜視図である。
【図３６】図３５の構成の変形例を示す斜視図である。
【図３７】図３６の変形例の分解斜視図である。
【図３８】図３５の構成の他の変形例を示す斜視図である。
【図３９】図３８の変形例の分解斜視図である。
【図４０】図３５の構成の他の変形例を示す斜視図である。
【図４１】図４０の変形例の分解斜視図である。
【図４２】図３５の構成の他の変形例を示す斜視図である。
【図４３】図４２の変形例の分解斜視図である。
【図４４】図３５の構成の他の変形例を示す斜視図である。
【図４５】図４４の変形例の組み立て途中の状態の斜視図である。
【図４６】実施の形態１６のランプの斜視図である。
【図４７】実施の形態１６のランプの斜視図である。
【図４８】実施の形態１６のランプの分解斜視図である。
【図４９】実施の形態１６のランプの分解斜視図である。
【図５０】実施の形態１７のランプの斜視図である。
【図５１】実施の形態１８のランプの斜視図である。
【図５２】実施の形態１９のランプの分解斜視図である。
【図５３】実施の形態１９のランプの分解斜視図である。
【図５４】実施の形態２０のランプの分解斜視図である。
【発明を実施するための形態】
【０００９】
以下、図面を参照して実施の形態について説明する。各図において共通または対応する要素には、同一の符号を付して、重複する説明を簡略化または省略する。本開示は、以下の各実施の形態で説明する構成のうち、組合わせ可能な構成のあらゆる組合わせを含み得る。
【００１０】
実施の形態１．
図１及び図２は、実施の形態１のランプ１Ａの斜視図である。これらの図に示す本実施の形態のランプ１Ａの用途は、特に限定されるものではない。ランプ１Ａは、例えば、街路灯、道路灯、公園灯、高天井灯などの屋内及び屋外の照明器具に取り付け可能な、Ｈｉｇｈ  Ｉｎｔｅｎｓｉｔｙ  Ｄｉｓｃｈａｒｇｅｄ（ＨＩＤ）形のランプとして使用可能なものでもよい。ランプ１Ａは、例えば水銀ランプのような従来のＨＩＤ形ランプの代替として使用可能なものでもよい。
【００１１】
ランプ軸線ａｘは、ランプ１Ａの中心軸に相当する。本実施の形態のランプ１Ａは、口金２を備える。ランプ軸線ａｘは、口金２の中心を通る。口金２は、例えば、Ｅ３９口金（Φ３９ｍｍ）、Ｅ２６口金（Φ２６ｍｍ）等のねじ込み式の口金でもよい。照明器具が備えるソケット（図示省略）に口金２を差し込むことでランプ１Ａが当該照明器具に装着されてもよい。ランプ１Ａは、口金２が上向きまたは斜め上向き、口金２が下向きまたは斜め下向き、口金２が横向きなど、いかなる姿勢で使用されてもよい。以下の説明では、ランプ１Ａの口金２側を「ランプ基端側」と称し、口金２と反対側を「ランプ先端側」と称し、ランプ軸線ａｘを中心とする周方向を「ランプ周方向」と称する。
【００１２】
ランプ１Ａは、光源ユニット３及びカバー部材４を備える。カバー部材４は、光を拡散透過させる。本実施の形態のランプ１Ａは、ランプ軸線ａｘの周りに配置された、同形の３個の光源ユニット３及び同形の３個のカバー部材４を備える。光源ユニット３及びカバー部材４は、ランプ周方向に沿って交互に配置される。これらの光源ユニット３及びカバー部材４は、ランプ軸線ａｘと直交する方向において、ランプ内部空間５とランプ外部空間との間を仕切る。これらの光源ユニット３及びカバー部材４が全体として筒状の形状を呈する。ランプ内部空間５は、ランプ軸線ａｘを中心とする柱状の形状を有する。本実施の形態におけるランプ内部空間５の形状は、六角柱に近い形状である。ランプ内部空間５は、光源ユニット３及びカバー部材４で囲まれる空間である。光源ユニット３及びカバー部材４で囲まれるランプ内部空間５の外側の空間がランプ外部空間である。ランプ内部空間５は、光を遮る障害物の存在しない、一つにまとまった空間となる。本実施の形態におけるカバー部材４の形状は、平板状である。このような構成に限らず、カバー部材４の一部または全体が曲面形状でもよい。
【００１３】
各々の光源ユニット３は、光源基板６、ベース部７、光源カバー８、及び放熱フィン９を備える。光源基板６は、ランプ内部空間５側の面に発光素子が配置された発光面を有する。光源基板６の発光素子は、例えば、発光ダイオード（ＬＥＤ）を備えるものでもよい。光源基板６の発光素子は、指向性を持たない配光を有する拡散発光源となるものが好ましく、例えば、チップ・オン・ボード（ＣＯＢ）タイプのＬＥＤパッケージ、表面実装型ＬＥＤパッケージ、チップ・スケール・パッケージのＬＥＤのいずれかでもよい。光源基板６の発光素子は、例えば、砲弾型ＬＥＤパッケージ、配光レンズ付きＬＥＤパッケージのような、指向性を持つ配光を有するものでもよい。また、光源基板６の発光素子は、ＬＥＤを備えるものに限らず、例えば、有機エレクトロルミネセンス（ＥＬ）素子、半導体レーザなどを備えるものでもよい。
【００１４】
ベース部７は、光源基板６の裏面側にある。ベース部７は、光源基板６の発光面と反対側にある。ベース部７は、光源基板６、光源カバー８、及び放熱フィン９を支える。ベース部７の形状は、板状でもよい。光源基板６の発光素子で発生した熱は、光源基板６の裏面からベース部７へ熱伝導する。光源基板６とベース部７との間に、例えば、熱伝導性グリス、熱伝導性シート、熱伝導性接着剤、熱伝導性両面粘着テープのような熱伝導性材料（図示せず）が挟まれていてもよい。また、光源基板６とベース部７とが一体化していてもよい。ベース部７及び放熱フィン９は、高い熱伝導率を有する材料、例えば金属材料で形成されることが望ましい。
【００１５】
光源カバー８は、光源基板６の発光面を覆う。光源カバー８の少なくとも一部は、光を正透過させる、透明である。放熱フィン９は、ランプ外部空間に面する。放熱フィン９は、ランプ外部空間に露出する。放熱フィン９は、光源基板６に接する面と反対側のベース部７の面から突出する。本実施の形態では、放熱フィン９の形状は、板状である。平行する複数の放熱フィン９が設けられている。放熱フィン９は、ランプ軸線ａｘと平行に延びる。このような構成に限らず、放熱フィン９がランプ軸線ａｘに対して垂直な方向に延びてもよいし、放熱フィン９がランプ軸線ａｘに対して斜めの方向に延びてもよい。放熱フィン９の形状は、板状に限らず、ピン形でもよい。放熱フィン９は、ベース部７と一体化していてもよい。
【００１６】
光源ユニット３は、ランプ内部空間５へ光を放射する。光源基板６から発せられた光は、光源カバー８を透過して、ランプ内部空間５へ放射される。ランプ内部空間５へ放射された光は、カバー部材４を透過してランプ外部空間へ放射される。カバー部材４からランプ外部空間へ放射される光は、カバー部材４の表面の法線方向に放射されるだけでなく、カバー部材４の表面からあらゆる方向へ向かって放射される。
【００１７】
光源基板６の発光素子で発生した熱は、ベース部７から放熱フィン９へ熱伝導する。ベース部７及び放熱フィン９の表面から対流及び輻射により熱が散逸する。本実施の形態であれば、以下の効果が得られる。放熱フィン９を備えたことで、表面積を大きくできるので、放熱を促進できる。放熱フィン９がランプ外部空間に面しているので、放熱フィン９の近くに熱気がこもらない。放熱フィン９への通気性を良好にできる。対流及び輻射による放熱フィン９の放熱効率を高くできる。光源基板６の発光素子の温度を低くできる。光源基板６の発光素子の発光効率を高くできる。光源基板６の発光素子の寿命を長くできる。光源基板６の発光素子の搭載個数を多くした場合でも、放熱面積を十分に確保可能であるため、発光素子の温度を低くして発光効率を向上できる。よって、ランプ１Ａの大光束化への対応に有利である。
【００１８】
本実施の形態における光源ユニット３は、ランプ軸線ａｘに対して平行な方向を長手方向とする形状を有する。光源ユニット３の長手方向の長さを大きくすることで、ランプ１Ａの配光特性に影響することなく、光源基板６の面積を大きくできる。このため、ランプ１Ａの大光束化への対応に有利である。本実施の形態の構成に代えて、光源ユニット３の形状は、ランプ軸線ａｘに対して傾斜した方向を長手方向とする形状でもよい。その場合でも、本実施の形態と類似の効果が得られる。光源ユニット３は、例えば、リフレクター、レンズなどの他の構成要素（図示省略）をさらに備えてもよい。
【００１９】
本実施の形態のランプ１Ａは、第一固定枠１０、第二固定枠１１、及び支持体１２を備える。第一固定枠１０及び第二固定枠１１の各々は、ランプ軸線ａｘを中心とする環状の形状を有する。第一固定枠１０は、光源ユニット３及びカバー部材４の各々のランプ先端側の端部を保持する。第二固定枠１１は、光源ユニット３及びカバー部材４の各々のランプ基端側の端部を保持する。光源ユニット３及びカバー部材４と第一固定枠１０及び第二固定枠１１との接合部には、凹部及び凸部による嵌合構造（図示省略）が備えられてもよい。第一固定枠１０及び第二固定枠１１の各々の形状は、六角形である。
【００２０】
口金２及び第二固定枠１１は、支持体１２に固定されている。支持体１２は、口金２と同軸上にあるハブ部と、このハブ部から各々の光源ユニット３へ向かって放射状に突出する複数の腕部を有する。これらの腕部が第二固定枠１１または光源ユニット３に連結されている。
【００２１】
上述した各構成要素間の固定方法は、特に限定されず、例えば、凹部と凸部との嵌合、差し込み、スライド、ネジ止め、接着、溶接、またはこれらのうちの二以上の組み合わせ、などの方法でもよい。口金２に印加された電力が各光源ユニット３の光源基板６へ供給されることで、ランプ１Ａが点灯する。口金２及び支持体１２の内部に設けられた配線を介して、電力を光源基板６へ供給してもよい。支持体１２と光源ユニット３との間の電気的接続を行うコネクタ（図示省略）を設けることで、ランプ１Ａの組立性を向上してもよい。支持体１２の少なくとも一部は、絶縁性を有する樹脂材料で構成されてもよい。
【００２２】
第一固定枠１０及び第二固定枠１１は、カバー部材４をランプ軸線ａｘの方向の両側から保持する保持手段の例である。本実施の形態であれば、この保持手段を備えたことで、以下の効果が得られる。雰囲気の温度及び湿度などの環境条件の変化、あるいは周囲から伝わる振動などによるカバー部材４の劣化及び破損を確実に抑制できる。組立性を良好にできる。さらに、本実施の形態であれば、第一固定枠１０及び第二固定枠１１が光源ユニット３及びカバー部材４の双方を保持することで、部品点数が少なくなり、組立性をより良好にできる。
【００２３】
ベース部７、放熱フィン９、第一固定枠１０、第二固定枠１１、及び支持体１２の表面特性は、光拡散性及び高反射性を有することが望ましい。例えば、ベース部７、放熱フィン９、第一固定枠１０、第二固定枠１１、及び支持体１２の表面に、高反射白色塗装が施されてもよい。これらの構成によれば、ランプ１Ａの周囲への光の拡散を向上でき、広配光化が図れる。
【００２４】
図３は、実施の形態１のランプ１Ａをランプ軸線ａｘの方向（ランプ先端側）から見た図である。図３に示すように、ランプ１Ａが備える３個の光源ユニット３は、ランプ軸線ａｘから等距離、かつ、ランプ軸線ａｘの周りに等角度間隔（本実施の形態１では１２０°間隔）で配置されている。
【００２５】
第一固定枠１０、第二固定枠１１、及び支持体１２の少なくとも一部は、高い熱伝導率を有する材料、例えば金属材料で構成することが望ましい。ベース部７から第一固定枠１０、第二固定枠１１、及び支持体１２へ熱伝導することで、第一固定枠１０、第二固定枠１１、及び支持体１２の表面からも放熱でき、放熱性がさらに向上する。
【００２６】
本実施の形態であれば、ランプ１Ａの点灯時に、ランプ内部空間５の光がカバー部材４を透過することで、あらゆる方向に拡散された光がランプ外部空間へ放射される。これにより、以下の効果が得られる。ランプ周方向の照射むらが少なく、全周囲配光、または全周囲配光に近い配光が得られる。すなわち、ランプ軸線ａｘからの光度が、方向によらず、ほぼ均一にできる。輝度むらを小さくできる。カバー部材４の表面に、光源基板６の光源のイメージあるいは輪郭が目立たないようになる。
【００２７】
本発明者らが行った解析によれば、ランプ軸線ａｘから遠く離れた位置における本実施の形態のランプ１Ａの周囲配光形状は、ほぼ円形であり、極めて良好な形状であった。すなわち、ランプ軸線ａｘから遠い距離におけるランプ１Ａの照度分布は、ランプ周方向に沿ってほぼ一定であった。このように、本実施の形態によれば、ランプ周方向の配光むらを確実に小さくできる。
【００２８】
カバー部材４は、拡散剤となる粒子が基材に分散された乳白色の樹脂材料で構成されることが望ましい。カバー部材４は、高い曇り度（ヘーズ）及び高い全光線透過率を有することが望ましい。カバー部材４の基材は、例えば、優れた強度耐性、耐熱性、及び耐水性を有するポリカーボネート樹脂でもよい。カバー部材４の基材がポリカーボネート樹脂である場合には、カバー部材４の表面及び裏面にアクリル系樹脂のハードコート処理を施すことで、耐光性（耐変色）をさらに向上してもよい。カバー部材４の基材は、その他の樹脂、例えば、アクリル系樹脂、ポリスチレン樹脂などでもよい。カバー部材４の拡散剤は、例えば、シリコーン系微粒子、アクリル系微粒子、ポリスチレン微粒子などでもよい。カバー部材４が上記のような樹脂材料で構成されることで、上述したカバー部材４による効果をより確実に奏することが可能となる。
【００２９】
カバー部材４は、上記の構成に代えて、透明基材の表面にディンプル加工あるいはシボ加工のような微細な凹凸を形成したものでもよい。その場合には、ランプ１Ａの点灯時、カバー部材４の表面に、光源基板６の各光源のイメージあるいは輪郭が目立つ可能性がある。
【００３０】
ベース部７には、ランプ内部空間５から放熱フィン９側へ光を通す開口部（図示せず）が設けられてもよい。当該開口部は、カバー部材４と同様の材質のカバー部材で塞がれていてもよい。ランプ内部空間５から当該開口部を通った光が、そのままランプ外部空間へ放射されたり、放熱フィン９で反射してランプ外部空間へ放射されたりすることで、配光の均一性がさらに高まるとともに、見た目の輝度むらをさらに小さくできる。
【００３１】
図４は、実施の形態１のランプ１Ａが備える光源ユニット３を光源基板６の発光面側から見た図である。図５及び図６は、実施の形態１のランプ１Ａが備える光源ユニット３の分解図である。図５及び図６は、光源カバー８を取り外した状態を示す。図５は、光源ユニット３をその長手方向に平行な方向から見た図である。図６は、光源ユニット３をその長手方向に垂直な方向から見た図である。
【００３２】
これらの図に示すように、光源カバー８は、光源基板６の全体を覆うようにして、ベース部７に対して取り付けられる。ベース部７及び光源カバー８で囲まれる閉空間に光源基板６が収納される。光源カバー８は、例えば、ポリカーボネート樹脂、アクリル系樹脂、ポリスチレン樹脂などの樹脂材料で構成されてもよい。光源カバー８の表面にハードコート処理が施されてもよい。光源カバー８は、防水性を有してもよい。光源カバー８とベース部７との接合部に、防水性を有するシール材または接着剤（図示省略）が備えられてもよい。当該シール材または接着剤は、例えば、軟性樹脂材料、シリコーン系などのシーリング材料、ゴム系材料などで構成されてもよい。光源カバー８を備えたことで、光源基板６を汚れあるいは水などから確実に保護することができ、発光素子の劣化あるいは故障を確実に抑制できる。
【００３３】
前述したように、光源カバー８の少なくとも一部は、透明である。本実施の形態であれば、光源基板６を覆う光源カバー８を透明としたことで、以下の効果が得られる。光源カバー８内部での光損失を極めて小さくできるため、光源光束を高い効率でランプ内部空間５へ取り出すことが可能となる。ランプ内部空間５を偏りなく広く照射できるため、ランプ１Ａの配光むらの低減及び高効率化に寄与する。これらの効果をより顕著に奏することを可能とするために、光源カバー８の少なくとも一部は、透過光を実質的に拡散させない非拡散性を有することが望ましい。
【００３４】
図５及び図６に示すように、光源カバー８は、光源基板６から発せられた光が入射する入射面８ａと、入射面８ａから入射した光が出射する出射面８ｂとを有する。入射面８ａは、光源カバー８の内面に相当する。出射面８ｂは、光源カバー８の外面に相当する。入射面８ａ及び出射面８ｂは、角のない形状を有する。入射面８ａ及び出射面８ｂは、滑らかに連続する曲面及び平面で構成される。入射面８ａ及び出射面８ｂは、途中に段差のない面で構成される。入射面８ａは、平坦面８ｃと曲面８ｄとを含む。出射面８ｂは、平坦面８ｅと曲面８ｆとを含む。入射面８ａの平坦面８ｃは、光源基板６に対向する。出射面８ｂの平坦面８ｅは、入射面８ａの平坦面８ｃの反対側の面に相当する。曲面８ｄは、入射面８ａの隅をラウンド形状とした面である。曲面８ｄを形成することで、入射面８ａの形状を角のない形状にできる。曲面８ｆは、出射面８ｂのコーナー部分をラウンド形状とした面である。曲面８ｆを形成することで、出射面８ｂの形状を角のない形状にできる。
【００３５】
本実施の形態であれば、光源カバー８の入射面８ａ及び出射面８ｂが角のない形状を有することで、ランプ１Ａの点灯時に、以下の効果が得られる。カバー部材４の表面の輝度むらを小さく抑えることができる。仮に、光源カバー８の入射面８ａ及び出射面８ｂが角を持つ形状であると、カバー部材４の表面に、光源カバー８の角部の稜線に起因する陰影が目立つ場合がある。これに対し、本実施の形態であれば、カバー部材４の表面に、光源カバー８の角部の稜線に起因する陰影が目立つことを確実に防止できる。また、光源カバー８の入射面８ａ及び出射面８ｂが角を持つ形状である場合に比べて、さらに以下の効果が得られる。入射面８ａ及び出射面８ｂで屈折して光源カバー８を透過する光の指向性を緩やかにできる。光源カバー８とカバー部材４との間での光損失（主に多重反射損失）を少なくできる。その結果、ランプ１Ａからランプ外部空間への全体の発光量が増加する。これにより、ランプ１Ａの光照射効率、すなわち消費エネルギー効率をさらに向上できる。本実施の形態では、光源カバー８の入射面８ａが平坦面８ｃを含む例を説明したが、光源カバー８の入射面が曲面のみで構成されてもよい。本実施の形態では、光源カバー８の出射面８ｂが平坦面８ｅを含む例を説明したが、光源カバー８の出射面が曲面のみで構成されてもよい。図５に示すように光源カバー８の板厚をｔとし、光源カバー８の入射面８ａ及び出射面８ｂの曲面の最小の曲率半径をｒとしたとき、ｒ≧ｔであることが好ましく、ｒ≧１．５ｔであることがより好ましく、ｒ≧２ｔであることがさらに好ましい。光源カバー８の入射面８ａ及び出射面８ｂの曲面の最小の曲率半径ｒがそのような範囲であれば、上述した効果をより確実に奏することが可能となる。
【００３６】
実施の形態２．
次に、図７を参照して、実施の形態２について説明するが、前述した実施の形態１との相違点を中心に説明し、前述した要素と共通または対応する要素には、同一の符号を付して、重複する説明を簡略化または省略する。図７は、実施の形態２のランプ１Ｂの斜視図である。
【００３７】
図７に示すように、実施の形態２のランプ１Ｂが備えるカバー部材４は、ランプ外部空間へ向けて凸になるように湾曲した曲面を有する。カバー部材４は、ランプ軸線ａｘを中心とする仮想の円柱面に沿って湾曲する曲面を有する。当該円柱面の半径は、ランプ軸線ａｘと光源ユニット３のベース部７との距離に実質的に等しい。本実施の形態２であれば、カバー部材４で囲まれる部分の形状を略円筒状にできる。第一固定枠１０及び第二固定枠１１の各々の形状は、ランプ軸線ａｘを中心とする円形である。
【００３８】
本実施の形態であれば、実施の形態１と同一または類似の効果に加えて、以下の効果が得られる。カバー部材４が平板状である場合に比べて、カバー部材４の面積を拡大できるので、照明効率をさらに向上できる。カバー部材４が、ランプ外部空間へ向けて凸になる形状を有することで、配光形状の均一性がより高くなる。
【００３９】
本発明では、例えば外観意匠による演出効果を重んじるようなランプの場合には、カバー部材４が、ランプ外部空間側が凹になる形状を有してもよい。ただし、そのような形状のカバー部材４を用いた場合には、ランプ外部空間へ向けて凸になる形状または平板状のカバー部材４を用いた場合に比べて、ランプ内部空間での光の反射損失が増加することで、照明効率が低くなる可能性がある。
【００４０】
図７では、光源カバー８が表面に角のある形状を有する例を示している。本実施の形態２を含め、以降の実施の形態では、光源カバー８が表面に角のある形状を有する例を図示するが、実施の形態２以降の各実施の形態においても、光源カバー８は、実施の形態１のように、その入射面及び出射面が角のない形状を有するものでもよい。
【００４１】
実施の形態３．
次に、図８から図１１を参照して、実施の形態３について説明するが、前述した実施の形態との相違点を中心に説明し、前述した要素と共通または対応する要素には、同一の符号を付して、重複する説明を簡略化または省略する。図８は、実施の形態３のランプ１Ｃの斜視図である。図９は、実施の形態３のランプ１Ｃをランプ軸線ａｘの方向（ランプ先端側）から見た図である。図８及び図９は、ランプ１Ｃが備える第一固定枠１０を除去した状態を示す。
【００４２】
図８及び図９に示すように、実施の形態３のランプ１Ｃが備えるカバー部材４の形状は、ランプ外部空間へ向けて凸になるように湾曲した曲面を有する。カバー部材４の形状は、ランプ軸線ａｘを中心とする仮想の円柱面に沿って湾曲する曲面を有する。
【００４３】
図９に示すように、ランプ軸線ａｘからカバー部材４の外面までの最大距離Ｌ１は、ランプ軸線ａｘから放熱フィン９の末端までの最大距離Ｌ２と同等か、またはＬ２より大きい。このような構成により、以下の効果が得られる。カバー部材４の面積を拡大できるので、照明効率をさらに向上できる。光源ユニット３に隣接する部分のカバー部材４から放射された光が放熱フィン９及びベース部７の表面に当たりやすくなる。放熱フィン９及びベース部７の表面に当たったその光が反射してランプ外部空間へ放射されることで、配光むら及び輝度むらをさらに小さくできる。
【００４４】
なお、ランプ軸線ａｘからカバー部材４の外面までの最大距離Ｌ１が、ランプ軸線ａｘから放熱フィン９の付け根までの距離Ｌ３より大きければ、Ｌ１＜Ｌ２の場合であっても、上記効果に類似した効果が得られる。
【００４５】
ランプ１Ｃは、カバー部材４の外面に形成された第一出射面４ａ及び第二出射面４ｂを備える。第一出射面４ａは、光源ユニット３に隣り合う位置にある。第二出射面４ｂは、第一出射面４ａと反対側で当該光源ユニット３に隣り合う位置にある。すなわち、第一出射面４ａ及び第二出射面４ｂの間に光源ユニット３が位置する。第一出射面４ａ及び第二出射面４ｂの形状は、次の条件を満足する。第一出射面４ａから外側へ延びる仮想の第一法線Ｎ１と、第一法線Ｎ１と交わり、第二出射面４ｂから外側へ延びる仮想の第二法線Ｎ２とが存在する。このような構成により、以下の効果が得られる。第一出射面４ａ及び第二出射面４ｂから出射した光は、放熱フィン９及びベース部７の表面に当たりやすい。放熱フィン９及びベース部７の表面に当たったその光が反射してランプ外部空間へ放射されることで、配光むら及び輝度むらをさらに小さくできる。
【００４６】
図１０は、実施の形態３のランプ１Ｃが備える光源ユニット３の斜視図である。図１０に示すように、本実施の形態における光源ユニット３は、二つの光源基板６と、二つの光源カバー８とを備える。ベース部７は、第一取付面７ａと、第一取付面７ａに対して角度が異なる第二取付面７ｂとを備える。一つの光源基板６及び光源カバー８が第一取付面７ａに取り付けられ、もう一つの光源基板６及び光源カバー８が第二取付面７ｂに取り付けられている。第一取付面７ａ及び第二取付面７ｂは、山形の斜面を形成する。図示の構成では、第一取付面７ａと第二取付面７ｂとの間の角度は、９０°より大きく１８０°より小さい角度である。第一取付面７ａに取り付けられた光源基板６及び光源カバー８は、第一光放射部に相当する。第二取付面７ｂに取り付けられた光源基板６及び光源カバー８は、第二光放射部に相当する。第二光放射部は、第一光放射部とは異なる方向へ光を放射する。
【００４７】
本実施の形態であれば、光源ユニット３が、第一光放射部と、第一光放射部とは異なる方向へ光を放射する第二光放射部とを備えたことで、以下の効果が得られる。光源ユニット３からランプ内部空間５の広い範囲へ光を照射することができる。ランプ１Ｃとしての発光効率がさらに良好になり、配光むら及び輝度むらをさらに少なくできる。光源ユニット３が、三つ以上の光放射部を備え、その各々の光放射部が異なる方向へ光を放射するように構成してもよい。その場合でも、上記効果に類似した効果が得られる。図８及び図９に示す例では、ランプ１Ｃが備えるすべての光源ユニット３が、第一光放射部及び第二光放射部を備えている。このような構成に限らず、ランプ１Ｃが備える複数の光源ユニット３のうちの少なくとも一つが第一光放射部及び第二光放射部を備えることで、上記効果に類似した効果が得られる。
【００４８】
本実施の形態３における光源ユニット３は、光路３ｃを備える。光路３ｃについては、後述する実施の形態４で説明する。
【００４９】
図１１は、実施の形態３のランプ１Ｃが備える光源ユニット３の変形例の斜視図である。図１１に示す光源ユニット３が備える光源カバー８は、レンズ部８ｇを有する。光源カバー８には、光源基板６が備える複数の発光素子の各々の位置に対応して、複数の個所にレンズ部８ｇが形成されている。図１１に示す例のように、光源カバー８がレンズ部８ｇを備える場合には、例えば、カバー部材４の形状、カバー部材４との位置関係、他の光源ユニット３との位置関係、などに応じて、光源ユニット３から照射される光の光度分布をより良好に制御できる。図示の構成では、レンズ部８ｇは、凸レンズであるが、これに限らず、例えば、フレネルレンズ、リニアフレネルレンズ、シリンドリカルレンズ、凹レンズなどでもよい。
【００５０】
実施の形態４．
次に、図１２から図１６を参照して、実施の形態４について説明するが、前述した実施の形態との相違点を中心に説明し、前述した要素と共通または対応する要素には、同一の符号を付して、重複する説明を簡略化または省略する。図１２及び図１３は、実施の形態４のランプ１Ｄの斜視図である。図１４及び図１５は、実施の形態４のランプ１Ｄの分解斜視図である。
【００５１】
これらの図に示す実施の形態４のランプ１Ｄは、実施の形態３のランプ１Ｃと比べて、光源ユニット３の光放射部が第一光放射部及び第二光放射部に分かれていないこと、すなわち、光源ユニット３が単一の光源基板６及び光源カバー８を備えること、以外は同じである。図１６は、実施の形態４のランプ１Ｄの部分的な斜視図である。
【００５２】
図１６に示すように、本実施の形態４における光源ユニット３は、第一エッジ３ａ及び第二エッジ３ｂを備える。第一エッジ３ａ及び第二エッジ３ｂは、光源ユニット３の長手方向に沿うエッジである。第二エッジ３ｂは、第一エッジ３ａの反対側のエッジである。光源ユニット３のランプ外部空間側には、第一エッジ３ａと第二エッジ３ｂとの間を光が通過可能な光路３ｃが形成される。光路３ｃは、放熱フィン９と放熱フィン９との間に形成される。光路３ｃに沿って、第一エッジ３ａの外側と第二エッジ３ｂの外側との間を光が通過可能である。放熱フィン９の形状は、光源ユニット３の長手方向に沿って延びる板状である。放熱フィン９の形状は、ランプ軸線ａｘに平行な方向に沿って延びる板状である。光路３ｃと、放熱フィン９の長手方向に沿う仮想直線とが交差する。放熱フィン９の長手方向の途中に、切欠き部、すなわち欠損部が形成されることで、光路３ｃが形成される。光路３ｃは、光源ユニット３の長手方向に垂直な方向に沿って延びる。光路３ｃは、ランプ軸線ａｘに垂直な方向に沿って延びる。
【００５３】
本実施の形態であれば、光源ユニット３において光路３ｃが形成されることで、以下の効果が得られる。光源ユニット３に隣接する部分のカバー部材４から放射された光が放熱フィン９及びベース部７の表面に当たりやすくなる。放熱フィン９及びベース部７の表面に当たったその光が反射してランプ外部空間へ放射されることで、配光むら及び輝度むらをさらに小さくできる。
【００５４】
本実施の形態では、カバー部材４は、実施の形態３で説明した第一出射面４ａ及び第二出射面４ｂを備えている。このような構成に限らず、カバー部材４が、実施の形態１または２のような、第一出射面４ａ及び第二出射面４ｂを備えない形状の場合であっても、光源ユニット３が上述した光路３ｃを有することで、上記効果に類似した効果が得られる。後述する実施の形態においても同様である。
【００５５】
実施の形態５．
次に、図１７を参照して、実施の形態５について説明するが、前述した実施の形態との相違点を中心に説明し、前述した要素と共通または対応する要素には、同一の符号を付して、重複する説明を簡略化または省略する。図１７は、実施の形態５のランプ１Ｅの部分的な斜視図である。
【００５６】
図１７に示す実施の形態５のランプ１Ｅは、実施の形態４のランプ１Ｄと比べて、光源ユニット３が備える放熱フィン９の形態が異なる。本実施の形態５における放熱フィン９の形状は、ピン形である。すなわち、放熱フィン９は、ピンフィンである。
【００５７】
図１７に示すように、本実施の形態５における光源ユニット３は、第一エッジ３ａ及び第二エッジ３ｂを備える。光源ユニット３のランプ外部空間側には、第一エッジ３ａと第二エッジ３ｂとの間を光が通過可能な光路３ｃが形成される。光路３ｃは、放熱フィン９と放熱フィン９との間に形成される。光路３ｃに沿って、第一エッジ３ａの外側と第二エッジ３ｂの外側との間を光が通過可能である。放熱フィン９の形状がピン形であるため、複数の異なる方向に沿って光路３ｃが形成される。このため、本実施の形態５であれば、光源ユニット３に隣接する部分のカバー部材４から放射された光が放熱フィン９及びベース部７の表面に当たりやすくなる。放熱フィン９及びベース部７の表面に当たったその光が反射してランプ外部空間へ放射されることで、配光むら及び輝度むらをさらに小さくできる。
【００５８】
実施の形態６．
次に、図１８を参照して、実施の形態６について説明するが、前述した実施の形態との相違点を中心に説明し、前述した要素と共通または対応する要素には、同一の符号を付して、重複する説明を簡略化または省略する。図１８は、実施の形態６のランプ１Ｆの部分的な斜視図である。
【００５９】
図１８に示す実施の形態６のランプ１Ｆは、実施の形態４のランプ１Ｄと比べて、光源ユニット３が備える放熱フィン９の形態が異なる。本実施の形態６における放熱フィン９の形状は、光源ユニット３の長手方向に対して斜めの方向に沿って延びる板状である。放熱フィン９の形状は、ランプ軸線ａｘに対して斜めの方向に沿って延びる板状である。光路３ｃは、放熱フィン９と放熱フィン９との間に形成される。光路３ｃは、放熱フィン９の長手方向に沿って延びる。光路３ｃは、光源ユニット３の長手方向に対して斜めの方向に沿って延びる。光路３ｃは、ランプ軸線ａｘに対して斜めの方向に沿って延びる。
【００６０】
本実施の形態６であれば、光源ユニット３において光路３ｃが形成されることで、以下の効果が得られる。光源ユニット３に隣接する部分のカバー部材４から放射された光が放熱フィン９及びベース部７の表面に当たりやすくなる。放熱フィン９及びベース部７の表面に当たったその光が反射してランプ外部空間へ放射されることで、配光むら及び輝度むらをさらに小さくできる。
【００６１】
実施の形態７．
次に、図１９を参照して、実施の形態７について説明するが、前述した実施の形態６との相違点を中心に説明し、前述した要素と共通または対応する要素には、同一の符号を付して、重複する説明を簡略化または省略する。図１９は、実施の形態７のランプ１Ｇの部分的な斜視図である。
【００６２】
図１９に示す実施の形態７のランプ１Ｇは、実施の形態６のランプ１Ｆと比べて、放熱フィン９の長手方向の途中の部分に切欠き部３ｄが形成されていること以外は同じである。切欠き部３ｄは、放熱フィン９の長手方向の途中が欠損した欠損部に相当する。
【００６３】
本実施の形態７であれば、実施の形態６と同じ効果に加えて、以下の効果が得られる。放熱フィン９の長手方向に沿って延びる光路３ｃだけでなく、放熱フィン９の長手方向に沿う仮想直線と交差する光路３ｃがさらに形成される。光源ユニット３に隣接する部分のカバー部材４から放射された光が放熱フィン９及びベース部７の表面に当たりやすくなる。放熱フィン９及びベース部７の表面に当たったその光が反射してランプ外部空間へ放射されることで、配光むら及び輝度むらをさらに小さくできる。
【００６４】
実施の形態８．
次に、図２０及び図２１を参照して、実施の形態８について説明するが、前述した実施の形態５との相違点を中心に説明し、前述した要素と共通または対応する要素には、同一の符号を付して、重複する説明を簡略化または省略する。図２０及び図２１は、実施の形態８のランプ１Ｈの部分的な斜視図である。
【００６５】
図２０及び図２１に示す実施の形態８のランプ１Ｈが備える放熱フィン９の形状は、ピン形である。すなわち、放熱フィン９は、ピンフィンである。放熱フィン９は、第一放熱フィン９ａ及び第二放熱フィン９ｂを含む。第二放熱フィン９ｂは、第一放熱フィン９ａに比べてカバー部材４に近い位置にある。すなわち、第二放熱フィン９ｂとカバー部材４との距離は、第一放熱フィン９ａとカバー部材４との距離より小さい。第二放熱フィン９ｂは、第一放熱フィン９ａの両側にある。ランプ軸線ａｘから第一放熱フィン９ａの末端までの距離は、ランプ軸線ａｘから第二放熱フィン９ｂの末端までの距離より大きい。第一放熱フィン９ａの根元の位置すなわちベース部７の表面から第一放熱フィン９ａの末端までの長さは、第二放熱フィン９ｂの根元の位置すなわちベース部７の表面から第二放熱フィン９ｂの末端までの長さより長い。
【００６６】
本実施の形態８であれば、実施の形態５と同じ効果に加えて、以下の効果が得られる。カバー部材４に近い第二放熱フィン９ｂだけでなく、第二放熱フィン９ｂの間に挟まれた第一放熱フィン９ａの表面にも、カバー部材４から放射された光が当たりやすくなる。第一放熱フィン９ａの表面に当たったその光が反射してランプ外部空間へ放射されることで、配光むら及び輝度むらをさらに小さくできる。第二放熱フィン９ｂの間に挟まれた第一放熱フィン９ａからの放熱量を向上できるので、光源基板６の発光素子の温度をさらに低くできる。本実施の形態８の変形例として、第一放熱フィン９ａ及び第二放熱フィン９ｂの形状を板状にしてもよい。その場合でも、上記効果に類似した効果が得られる。
【００６７】
実施の形態９．
次に、図２２及び図２３を参照して、実施の形態９について説明するが、前述した実施の形態８との相違点を中心に説明し、前述した要素と共通または対応する要素には、同一の符号を付して、重複する説明を簡略化または省略する。図２２及び図２３は、実施の形態９のランプ１Ｊの部分的な斜視図である。
【００６８】
図２２及び図２３に示す実施の形態９のランプ１Ｊが備えるベース部７は、ランプ外部空間に面する第一斜面７ｃ及び第二斜面７ｄを有する。第一斜面７ｃ及び第二斜面７ｄは、カバー部材４から遠ざかるほどランプ軸線ａｘとの距離が大きくなるように傾斜する。放熱フィン９は、第一斜面７ｃ及び第二斜面７ｄから突出する。第一斜面７ｃ及び第二斜面７ｄは、山形の斜面を形成する。図示の構成では、第一斜面７ｃと第二斜面７ｄとの間の角度は、９０°より大きく１８０°より小さい角度である。
【００６９】
本実施の形態９であれば、以下の効果が得られる。ベース部７の第一斜面７ｃ及び第二斜面７ｄに、カバー部材４から放射された光が当たりやすくなる。第一斜面７ｃ及び第二斜面７ｄに当たったその光が反射してランプ外部空間へ放射されることで、配光むら及び輝度むらをさらに小さくできる。図示の構成では、放熱フィン９の形態が実施の形態８と同じ形態であるが、放熱フィン９の形態が他の形態の場合であっても、上記効果に類似した効果が得られる。
【００７０】
実施の形態１０．
次に、図２４及び図２５を参照して、実施の形態１０について説明するが、前述した実施の形態２との相違点を中心に説明し、前述した要素と共通または対応する要素には、同一の符号を付して、重複する説明を簡略化または省略する。図２４は、実施の形態１０のランプ１Ｋの斜視図である。図２５は、実施の形態１０のランプ１Ｋをランプ軸線ａｘの方向（ランプ先端側）から見た図である。
【００７１】
本実施の形態１０のランプ１Ｋは、実施の形態２のランプ１Ｂと比べて、カバー部材４の形状が異なる。本実施の形態１０におけるカバー部材４は、曲面部４ｃ及び平面部４ｄを有する。曲面部４ｃは、ランプ軸線ａｘを中心とする仮想の円柱面に沿って湾曲する。図２５に示すように、当該円柱面の半径Ｒ１は、ランプ軸線ａｘと光源ユニット３のベース部７との距離Ｌ４より小さい。曲面部４ｃは、ランプ外部空間へ向けて凸となる。平面部４ｄは、曲面部４ｃと光源ユニット３のベース部７との間をつなぐ。平面部４ｄは、隣り合う二つの光源ユニット３のベース部７をつなぐ直線Ｓ１に沿う。
【００７２】
本実施の形態であれば、以下の効果が得られる。カバー部材４が曲面部４ｃを備えることで、カバー部材４の面積を拡大できるので、照明効率をさらに向上できるとともに、配光形状の均一性がより高くなる。
【００７３】
本実施の形態１０のランプ１Ｋは、第一固定枠１０及び第二固定枠１１を備えない。光源ユニット３は、ベース部７が支持体１２に固定されることで支持されている。カバー部材４は、光源ユニット３のベース部７に支持されている。このような構成に限らず、ランプ１Ｋは、光源ユニット３及びカバー部材４を保持する第一固定枠１０及び第二固定枠１１をさらに備えてもよい。後述する実施の形態においても同様である。
【００７４】
実施の形態１１．
次に、図２６及び図２７を参照して、実施の形態１１について説明するが、前述した実施の形態２との相違点を中心に説明し、前述した要素と共通または対応する要素には、同一の符号を付して、重複する説明を簡略化または省略する。図２６は、実施の形態１１のランプ１Ｌの斜視図である。図２７は、実施の形態１１のランプ１Ｌをランプ軸線ａｘの方向（ランプ先端側）から見た図である。
【００７５】
本実施の形態１１のランプ１Ｌは、実施の形態２のランプ１Ｂと比べて、カバー部材４の形状が異なる。本実施の形態１１におけるカバー部材４は、第一曲面部４ｅ及び第二曲面部４ｆを有する。図２７に示すように、第一曲面部４ｅは、仮想の第一円柱面ＣＳ１に沿って湾曲する。第二曲面部４ｆは、仮想の第二円柱面ＣＳ２に沿って湾曲する。第一曲面部４ｅ及び第二曲面部４ｆは、ランプ外部空間へ向けて凸となる。第一円柱面ＣＳ１の半径は、第二円柱面ＣＳ２の半径より小さい。第一円柱面ＣＳ１の中心位置は、第二円柱面ＣＳ２の中心位置と異なる。第二円柱面ＣＳ２は、ランプ軸線ａｘを中心とする円柱面である。第一円柱面ＣＳ１の中心軸は、ランプ軸線ａｘに平行である。第二曲面部４ｆは、第一曲面部４ｅと光源ユニット３のベース部７との間をつなぐ。第二円柱面ＣＳ２の半径は、ランプ軸線ａｘと光源ユニット３のベース部７との距離に実質的に等しい。
【００７６】
本実施の形態であれば、以下の効果が得られる。カバー部材４が第一曲面部４ｅ及び第二曲面部４ｆを備えることで、カバー部材４の面積を拡大できるので、照明効率をさらに向上できるとともに、配光形状の均一性がより高くなる。
【００７７】
実施の形態１２．
次に、図２８及び図２９を参照して、実施の形態１２について説明するが、前述した実施の形態２との相違点を中心に説明し、前述した要素と共通または対応する要素には、同一の符号を付して、重複する説明を簡略化または省略する。図２８は、実施の形態１２のランプ１Ｍの斜視図である。図２９は、実施の形態１２のランプ１Ｍをランプ軸線ａｘの方向（ランプ先端側）から見た図である。
【００７８】
本実施の形態１２のランプ１Ｍは、実施の形態２のランプ１Ｂと比べて、カバー部材４の形状が異なる。本実施の形態１２におけるカバー部材４は、第一曲面部４ｅ及び第二曲面部４ｆを有する。図２９に示すように、第一曲面部４ｅは、仮想の第一円柱面ＣＳ１に沿って湾曲する。第二曲面部４ｆは、仮想の第二円柱面ＣＳ２に沿って湾曲する。第一曲面部４ｅ及び第二曲面部４ｆは、ランプ外部空間へ向けて凸となる。第一円柱面ＣＳ１の半径は、第二円柱面ＣＳ２の半径より小さい。第一円柱面ＣＳ１の中心位置は、第二円柱面ＣＳ２の中心位置と異なる。第一円柱面ＣＳ１の中心軸は、ランプ軸線ａｘに平行である。第二円柱面ＣＳ２の中心軸は、ランプ軸線ａｘに平行である。第二曲面部４ｆは、第一曲面部４ｅと光源ユニット３のベース部７との間をつなぐ。第一円柱面ＣＳ１の半径は、ランプ軸線ａｘと光源ユニット３のベース部７との距離より小さい。第二円柱面ＣＳ２の半径は、ランプ軸線ａｘと光源ユニット３のベース部７との距離より大きい。
【００７９】
本実施の形態であれば、以下の効果が得られる。カバー部材４が第一曲面部４ｅ及び第二曲面部４ｆを備えることで、カバー部材４の面積を拡大できるので、照明効率をさらに向上できるとともに、配光形状の均一性がより高くなる。
【００８０】
実施の形態１３．
次に、図３０及び図３１を参照して、実施の形態１３について説明するが、前述した実施の形態２との相違点を中心に説明し、前述した要素と共通または対応する要素には、同一の符号を付して、重複する説明を簡略化または省略する。図３０は、実施の形態１３のランプ１Ｎの斜視図である。図３１は、実施の形態１３のランプ１Ｎをランプ軸線ａｘの方向（ランプ先端側）から見た図である。
【００８１】
本実施の形態１３のランプ１Ｎは、実施の形態２のランプ１Ｂと比べて、カバー部材４の形状が異なる。本実施の形態１３におけるカバー部材４は、ランプ軸線ａｘに平行な直線を中心とする仮想の円柱面ＣＳ３に沿って湾曲する曲面を有する。当該曲面は、ランプ外部空間へ向けて凸となる。円柱面ＣＳ３の半径は、ランプ軸線ａｘと光源ユニット３のベース部７との距離Ｌ４より大きい。円柱面ＣＳ３の中心位置は、ランプ軸線ａｘの位置とは異なる。
【００８２】
本実施の形態であれば、以下の効果が得られる。ランプ外部空間へ向けて凸となる曲面をカバー部材４が備えることで、カバー部材４の面積を拡大できるので、照明効率をさらに向上できるとともに、配光形状の均一性がより高くなる。
【００８３】
実施の形態１４．
次に、図３２及び図３３を参照して、実施の形態１４について説明するが、前述した実施の形態２との相違点を中心に説明し、前述した要素と共通または対応する要素には、同一の符号を付して、重複する説明を簡略化または省略する。図３２は、実施の形態１４のランプ１Ｐの斜視図である。図３３は、実施の形態１４のランプ１Ｐをランプ軸線ａｘの方向（ランプ先端側）から見た図である。
【００８４】
本実施の形態１４のランプ１Ｐは、実施の形態２のランプ１Ｂと比べて、カバー部材４の形状が異なる。本実施の形態１４におけるカバー部材４は、ランプ軸線ａｘに平行な直線を中心とする仮想の円柱面ＣＳ４に沿って湾曲する曲面を有する。当該曲面は、ランプ外部空間へ向けて凸となる。円柱面ＣＳ４の半径は、ランプ軸線ａｘと光源ユニット３のベース部７との距離Ｌ４より小さい。円柱面ＣＳ４の中心位置は、ランプ軸線ａｘの位置とは異なる。
【００８５】
本実施の形態であれば、以下の効果が得られる。ランプ外部空間へ向けて凸となる曲面をカバー部材４が備えることで、カバー部材４の面積を拡大できるので、照明効率をさらに向上できるとともに、配光形状の均一性がより高くなる。
【００８６】
実施の形態１５．
次に、図３４及び図３５を参照して、実施の形態１５について説明するが、前述した実施の形態４との相違点を中心に説明し、前述した要素と共通または対応する要素には、同一の符号を付して、重複する説明を簡略化または省略する。図３４は、実施の形態１５のランプ１Ｑの斜視図である。図３５は、実施の形態１５のランプ１Ｑの部分的な斜視図である。
【００８７】
図３４及び図３５では、第一固定枠１０及び第二固定枠１１を省略しているが、本実施の形態のランプ１Ｑは、第一固定枠１０及び第二固定枠１１を備えてもよく、第一固定枠１０及び第二固定枠１１がカバー部材４をランプ軸線ａｘの方向の両側から保持してもよい。
【００８８】
図３５において、カバー部材４の端部は、光源ユニット３のベース部７の長手方向エッジに対して取り付けられている。カバー部材４の端部と、光源ユニット３のベース部７の長手方向エッジとの間には、接着材料、防水材料、または防水性接着材料が介在してもよい。その接着材料または防水性接着材料は、例えば、硬化前にゲル状で、加熱硬化型のもの、または室温で硬化するものでもよい。カバー部材４を光源ユニット３に対して、例えばネジなどの機械的固定構造（図示省略）により固定してもよいし、接着材料と機械的固定構造とを併用してもよい。カバー部材４と光源ユニット３とが、例えば、凹部及び凸部による嵌合固定構造（図示省略）を介して固定されてもよい。
【００８９】
図３６は、図３５の構成の変形例を示す斜視図である。図３７は、図３６の変形例の分解斜視図である。本変形例について、図３５の構成との相違点を中心に説明し、同様の事項は簡略化または省略する。図３７に示すように、ベース部７には、長手方向エッジに沿う面領域７ｅが形成されている。面領域７ｅは、放熱フィン９と同じ側の、ベース部７の面に形成されている。面領域７ｅは、光源基板６及び光源カバー８と反対側の、ベース部７の面に形成されている。図３６に示すように、ベース部７の面領域７ｅにカバー部材４の端部が接合している。面領域７ｅとカバー部材４の端部との間に、接着材料、防水材料、または防水性接着材料が介在してもよい。
【００９０】
図３８は、図３５の構成の他の変形例を示す斜視図である。図３９は、図３８の変形例の分解斜視図である。本変形例について、図３５の構成との相違点を中心に説明し、同様の事項は簡略化または省略する。図３９に示すように、ベース部７には、長手方向エッジに沿う面領域７ｆと、面領域から突出する突出部７ｇ，７ｈとが形成されている。面領域７ｆ及び突出部７ｇ，７ｈは、放熱フィン９と同じ側の、ベース部７の面に形成されている。面領域７ｆ及び突出部７ｇ，７ｈは、光源基板６及び光源カバー８と反対側の、ベース部７の面に形成されている。図３８に示すように、ベース部７の面領域７ｆにカバー部材４の端部が接合している。面領域７ｆとカバー部材４の端部との間に、接着材料、防水材料、または防水性接着材料が介在してもよい。カバー部材４の端部は、突出部７ｇ，７ｈの間に嵌合する。
【００９１】
図４０は、図３５の構成の他の変形例を示す斜視図である。図４１は、図４０の変形例の分解斜視図である。本変形例について、図３５の構成との相違点を中心に説明し、同様の事項は簡略化または省略する。図４１に示すように、ベース部７には、長手方向エッジに沿う面領域７ｉが形成されている。面領域７ｉは、放熱フィン９と反対側の、ベース部７の面に形成されている。面領域７ｉは、光源基板６及び光源カバー８と同じ側の、ベース部７の面に形成されている。図４０に示すように、ベース部７の面領域７ｉにカバー部材４の端部が接合している。面領域７ｉとカバー部材４の端部との間に、接着材料、防水材料、または防水性接着材料が介在してもよい。
【００９２】
図４２は、図３５の構成の他の変形例を示す斜視図である。図４３は、図４２の変形例の分解斜視図である。本変形例について、図３５の構成との相違点を中心に説明し、同様の事項は簡略化または省略する。図４３に示すように、ベース部７には、長手方向エッジに沿う面領域７ｊが形成されている。面領域７ｊの法線は、放熱フィン９が設けられたベース部７の面に対して実質的に平行になる。面領域７ｊの法線は、光源基板６及び光源カバー８が設けられたベース部７の面に対して実質的に平行になる。図４２に示すように、ベース部７の面領域７ｊにカバー部材４の端部が接合している。面領域７ｊとカバー部材４の端部との間に、接着材料、防水材料、または防水性接着材料が介在してもよい。
【００９３】
図４４は、図３５の構成の他の変形例を示す斜視図である。図４５は、図４４の変形例の組み立て途中の状態の斜視図である。本変形例について、図３５の構成との相違点を中心に説明し、同様の事項は簡略化または省略する。図４５に示すように、ベース部７には、長手方向エッジに沿う溝７ｋが形成されている。溝７ｋの内側にカバー部材４の端部が嵌合する。組み立てるときには、カバー部材４を光源ユニット３に対して、光源ユニット３の長手方向に相対的に移動させることで、カバー部材４の端部をベース部７の溝７ｋに挿入できる。溝７ｋとカバー部材４の端部との間に、接着材料、防水材料、または防水性接着材料が介在してもよい。
【００９４】
図３６から図４４により説明した各変形例によれば、以下の効果が得られる。カバー部材４と光源ユニット３のベース部７との接着性または接合性を高めることができるとともに、両者の間に隙間が出ないように固着することができ、防水及び光漏れをより確実に防止することができる。カバー部材４及びベース部７がそれぞれ周囲温度により伸縮した場合にも、柔軟性をもって固着状態を保つことができる。組み立ても容易になる。カバー部材４を光源ユニット３のベース部７に直接接合する構成に限らず、例えば、光源ユニット３の長手方向エッジに接して設けられる他の金属部材または樹脂部材など（図示せず）を介してカバー部材４を接合してもよい。
【００９５】
実施の形態１６．
次に、図４６から図４９を参照して、実施の形態１６について説明するが、前述した実施の形態４との相違点を中心に説明し、前述した要素と共通または対応する要素には、同一の符号を付して、重複する説明を簡略化または省略する。図４６及び図４７は、実施の形態１６のランプ１Ｒの斜視図である。図４８及び図４９は、実施の形態１６のランプ１Ｒの分解斜視図である。
【００９６】
図４６に示すように、本実施の形態のランプ１Ｒは、先端側透光カバー１３を備える。先端側透光カバー１３は、ランプ内部空間５のランプ先端側の端部に配置される。先端側透光カバー１３は、光を拡散透過させる。光源ユニット３からランプ内部空間５へ放射された光は、先端側透光カバー１３を透過してランプ外部空間へ放射される。先端側透光カバー１３からランプ外部空間へ放射される光は、先端側透光カバー１３の表面の法線方向に放射されるだけでなく、先端側透光カバー１３の表面からあらゆる方向へ向かって放射される。先端側透光カバー１３は、端部カバーの例である。本実施の形態における先端側透光カバー１３の形状は、円形の平板状である。
【００９７】
本実施の形態であれば、先端側透光カバー１３を備えたことで、以下の効果が得られる。ランプ先端側の方向に対しても良好に配光できる。従来のＨＩＤランプと同様に配光むらが少ない全方位配光、またはそれに近い配光が得られる。見た目の輝度むらをより少なくできる。ランプ１Ｒ全体としての発光効率をより良好にできる。ランプ内部空間５へ埃などの異物が侵入することを確実に抑制できる。光源カバー８の表面、及びカバー部材４の内面などの汚れを確実に抑制できる。ランプ内部空間５への水の侵入を抑制し、防水性を高めることができる。
【００９８】
図４７に示すように、本実施の形態のランプ１Ｒは、基端側透光カバー１４を備える。基端側透光カバー１４は、ランプ内部空間５のランプ基端側の端部に配置される。基端側透光カバー１４は、光を拡散透過させる。光源ユニット３からランプ内部空間５へ放射された光は、基端側透光カバー１４を透過してランプ外部空間へ放射される。基端側透光カバー１４からランプ外部空間へ放射される光は、基端側透光カバー１４の表面の法線方向に放射されるだけでなく、基端側透光カバー１４の表面からあらゆる方向へ向かって放射される。基端側透光カバー１４は、端部カバーの例である。本実施の形態における基端側透光カバー１４の形状は、円形の平板状である。
【００９９】
本実施の形態であれば、基端側透光カバー１４を備えたことで、以下の効果が得られる。ランプ基端側の方向に対しても良好に配光できる。従来のＨＩＤランプと同様に配光むらが少ない全方位配光、またはそれに近い配光が得られる。見た目の輝度むらをより少なくできる。ランプ１Ｒ全体としての発光効率をより良好にできる。ランプ内部空間５へ埃などの異物が侵入することを確実に抑制できる。光源カバー８の表面、及びカバー部材４の内面などの汚れを確実に抑制できる。ランプ内部空間５への水の侵入を抑制し、防水性を高めることができる。
【０１００】
先端側透光カバー１３及び基端側透光カバー１４の材質としては、カバー部材４の材質として説明したものと同様の材質を用いることができる。
【０１０１】
図４８及び図４９に示すように、本実施の形態のランプ１Ｒは、第三固定枠１５及び第四固定枠１６を備える。先端側透光カバー１３は、第一固定枠１０と第三固定枠１５との間に挟まれた状態で固定される。第一固定枠１０及び第三固定枠１５は、先端側透光カバー１３の外縁に沿う環状の形状を有する。第一固定枠１０及び第三固定枠１５の間に先端側透光カバー１３を挟んで固定する方法は、例えば、接着剤による方法でもよいし、ネジ止めでもよいし、接着剤とネジ止めとを併用してもよい。基端側透光カバー１４は、第二固定枠１１と第四固定枠１６との間に挟まれた状態で固定される。第二固定枠１１及び第四固定枠１６は、基端側透光カバー１４の外縁に沿う環状の形状を有する。第二固定枠１１及び第四固定枠１６の間に基端側透光カバー１４を挟んで固定する方法は、例えば、接着剤による方法でもよいし、ネジ止めでもよいし、接着剤とネジ止めとを併用してもよい。上述した先端側透光カバー１３及び基端側透光カバー１４の取り付け方法は一例であり、他の取り付け方法を用いてもよいことは言うまでもない。
【０１０２】
実施の形態１７．
次に、図５０を参照して、実施の形態１７について説明するが、前述した実施の形態１６との相違点を中心に説明し、前述した要素と共通または対応する要素には、同一の符号を付して、重複する説明を簡略化または省略する。図５０は、実施の形態１７のランプ１Ｓの斜視図である。
【０１０３】
図５０に示すように、本実施の形態１７のランプ１Ｓは、実施の形態１６のランプ１Ｒと比べて、先端側透光カバー１３の形状が異なること以外は同じである。本実施の形態１７における先端側透光カバー１３は、曲面部１３ａ及び平面部１３ｂを備える。曲面部１３ａは、ランプ外部空間に向かって凸となるように湾曲する。平面部１３ｂは、ランプ軸線ａｘに垂直な平面に沿う。平面部１３ｂの形状は、ランプ軸線ａｘを中心とする円形である。曲面部１３ａは、平面部１３ｂの周囲に環状に形成される。先端側透光カバー１３は、全体として、深皿状の形状を有する。本実施の形態１７であれば、実施の形態１６に比べて、ランプ先端側の方向に対する配光をより良好にできる。
【０１０４】
実施の形態１８．
次に、図５１を参照して、実施の形態１８について説明するが、前述した実施の形態１６との相違点を中心に説明し、前述した要素と共通または対応する要素には、同一の符号を付して、重複する説明を簡略化または省略する。図５１は、実施の形態１８のランプ１Ｔの斜視図である。
【０１０５】
図５１に示すように、本実施の形態１８のランプ１Ｔは、実施の形態１６のランプ１Ｒと比べて、先端側透光カバー１３の形状が異なること以外は同じである。本実施の形態１８における先端側透光カバー１３は、ランプ外部空間に向かって凸となるように湾曲する、半球状の曲面を備える。本実施の形態１８であれば、実施の形態１６に比べて、ランプ先端側の方向に対する配光をより良好にできる。
【０１０６】
実施の形態１９．
次に、図５２及び図５３を参照して、実施の形態１９について説明するが、前述した実施の形態１７との相違点を中心に説明し、前述した要素と共通または対応する要素には、同一の符号を付して、重複する説明を簡略化または省略する。図５２及び図５３は、実施の形態１９のランプ１Ｕの分解斜視図である。
【０１０７】
これらの図に示す本実施の形態１９のランプ１Ｕは、実施の形態１７のランプ１Ｓと比べて、先端側透光カバー１３と３個のカバー部材４とが一体化して、一部品のカバー部品１７を形成している点が異なる。カバー部品１７は、切欠き部１７ａを有する。切欠き部１７ａは、カバー部材４とカバー部材４との間に形成される。ランプ１Ｕの完成状態では、切欠き部１７ａに光源ユニット３が配置される。ランプ１Ｕを組み立てるときには、カバー部品１７を光源ユニット３に対してランプ軸線ａｘの方向に相対的にスライドさせ、切欠き部１７ａに光源ユニット３を挿入することで、カバー部品１７を装着できる。
【０１０８】
本実施の形態であれば、先端側透光カバー１３と複数のカバー部材４とが一つのカバー部品１７として一体化していることで、製造時における部品管理負荷が軽減するとともにランプ１Ｕの組立が容易になる。カバー部品１７が備える先端側透光カバー１３の形状を、実施の形態１６の形状、または実施の形態１８の形状にしてもよい。その場合でも、同様の効果が得られる。
【０１０９】
実施の形態２０．
次に、図５４を参照して、実施の形態２０について説明するが、前述した実施の形態１６との相違点を中心に説明し、前述した要素と共通または対応する要素には、同一の符号を付して、重複する説明を簡略化または省略する。図５４は、実施の形態２０のランプ１Ｖの分解斜視図である。
【０１１０】
図５４に示す本実施の形態２０のランプ１Ｖは、実施の形態１６のランプ１Ｒと比べて、３個のカバー部材４が一体化して、一部品のカバー部品１８を形成している点が異なる。カバー部品１８は、切欠き部１８ａを有する。切欠き部１８ａは、カバー部材４とカバー部材４との間に形成される。ランプ１Ｖの完成状態では、切欠き部１８ａに光源ユニット３が配置される。ランプ１Ｖを組み立てるときには、カバー部品１８を光源ユニット３に対してランプ軸線ａｘの方向に相対的にスライドさせ、切欠き部１８ａに光源ユニット３を挿入することで、カバー部品１８を装着できる。
【０１１１】
本実施の形態であれば、複数のカバー部材４が一つのカバー部品１８として一体化していることで、製造時における部品管理負荷が軽減するとともにランプ１Ｖの組立が容易になる。図５４では省略しているが、本実施の形態のランプ１Ｖに、実施の形態１６から実施の形態１８で説明したような先端側透光カバー１３を取り付けてもよい。
【０１１２】
以上説明した各実施の形態では、ランプが備える光源ユニット３の数が３個の例を説明した。本発明では、ランプが備える光源ユニット３の数は、１個でもよいし、２個でもよいし、４個以上でもよい。ランプが複数の光源ユニット３を備える場合には、複数の光源ユニット３は、ランプ軸線ａｘから等距離、かつ、ランプ軸線ａｘの周りに等角度間隔で配置されることが望ましい。ランプが単一の光源ユニット３を備える場合には、カバー部材４は、周方向の一部が除去された筒状の形状に形成され、その除去された位置に光源ユニット３が配置され、光源ユニット３の両側の長手方向エッジとカバー部材４とが接することが望ましい。ランプが複数の光源ユニット３を備える場合、特に３個以上の光源ユニット３を備える場合には、単一の光源ユニット３を備える場合に比べて、ランプ周方向における配光むら及び輝度むらを小さくする上で有利になる。
【符号の説明】
【０１１３】
１Ａ，１Ｂ，１Ｃ，１Ｄ，１Ｅ，１Ｆ，１Ｇ，１Ｈ，１Ｊ，１Ｋ，１Ｌ，１Ｍ，１Ｎ，１Ｐ，１Ｑ，１Ｒ，１Ｓ，１Ｔ，１Ｕ，１Ｖ  ランプ、  ２  口金、  ３  光源ユニット、  ３ａ  第一エッジ、  ３ｂ  第二エッジ、  ３ｃ  光路、  ３ｄ  切欠き部、  ４  カバー部材、  ４ａ  第一出射面、  ４ｂ  第二出射面、  ４ｃ  曲面部、  ４ｄ  平面部、  ４ｅ  第一曲面部、  ４ｆ  第二曲面部、  ５  ランプ内部空間、  ６  光源基板、  ７  ベース部、  ７ａ  第一取付面、  ７ｂ  第二取付面、  ７ｃ  第一斜面、  ７ｄ  第二斜面、  ７ｅ，７ｆ  面領域、  ７ｇ，７ｈ  突出部、  ７ｉ，７ｊ  面領域、  ７ｋ  溝、  ８  光源カバー、  ８ａ  入射面、  ８ｂ  出射面、  ８ｃ  平坦面、  ８ｄ  曲面、  ８ｅ  平坦面、  ８ｆ  曲面、  ８ｇ  レンズ部、  ９  放熱フィン、  ９ａ  第一放熱フィン、  ９ｂ  第二放熱フィン、  １０  第一固定枠、  １１  第二固定枠、  １２  支持体、  １３  先端側透光カバー、  １３ａ  曲面部、  １３ｂ  平面部、  １４  形態、  １４  基端側透光カバー、  １５  第三固定枠、  １６  第四固定枠、  １７  カバー部品、  １７ａ  切欠き部、  １８  カバー部品、  １８ａ  切欠き部
【図１】
2018014257.tif 000003
【図２】
2018014257.tif 000004
【図３】
2018014257.tif 000005
【図４】
2018014257.tif 000006
【図５】
2018014257.tif 000007
【図６】
2018014257.tif 000008
【図７】
2018014257.tif 000009
【図８】
2018014257.tif 000010
【図９】
2018014257.tif 000011
【図１０】
2018014257.tif 000012
【図１１】
2018014257.tif 000013
【図１２】
2018014257.tif 000014
【図１３】
2018014257.tif 000015
【図１４】
2018014257.tif 000016
【図１５】
2018014257.tif 000017
【図１６】
2018014257.tif 000018
【図１７】
2018014257.tif 000019
【図１８】
2018014257.tif 000020
【図１９】
2018014257.tif 000021
【図２０】
2018014257.tif 000022
【図２１】
2018014257.tif 000023
【図２２】
2018014257.tif 000024
【図２３】
2018014257.tif 000025
【図２４】
2018014257.tif 000026
【図２５】
2018014257.tif 000027
【図２６】
2018014257.tif 000028
【図２７】
2018014257.tif 000029
【図２８】
2018014257.tif 000030
【図２９】
2018014257.tif 000031
【図３０】
2018014257.tif 000032
【図３１】
2018014257.tif 000033
【図３２】
2018014257.tif 000034
【図３３】
2018014257.tif 000035
【図３４】
2018014257.tif 000036
【図３５】
2018014257.tif 000037
【図３６】
2018014257.tif 000038
【図３７】
2018014257.tif 000039
【図３８】
2018014257.tif 000040
【図３９】
2018014257.tif 000041
【図４０】
2018014257.tif 000042
【図４１】
2018014257.tif 000043
【図４２】
2018014257.tif 000044
【図４３】
2018014257.tif 000045
【図４４】
2018014257.tif 000046
【図４５】
2018014257.tif 000047
【図４６】
2018014257.tif 000048
【図４７】
2018014257.tif 000049
【図４８】
2018014257.tif 000050
【図４９】
2018014257.tif 000051
【図５０】
2018014257.tif 000052
【図５１】
2018014257.tif 000053
【図５２】
2018014257.tif 000054
【図５３】
2018014257.tif 000055
【図５４】
2018014257.tif 000056